(57)【特許請求の範囲】
【請求項１】
ラジアル状にテーピングされて供給されるラジアルテーピング部品において、
先端近くに、第一リブ部と第二リブ部とを設けてその両リブ部間を曲げ部として形成した端子足を有することを特徴とするラジアルテーピング部品。
【発明の詳細な説明】
【０００１】
【発明の属する技術分野】
この発明はラジアルテーピングされる部品の改良に関する。特に、自動機で実装するのに適したラジアルテーピング部品の端子足の形状に関する。
【０００２】
【従来の技術】
従来から回路に載置される異形部品（例えば、抵抗、コンデンサ、ダイオード、コネクタ等の独立部品）は、自動機で実装するときの便宜のためにラジアルテーピングして供給される。図５はこれらの部品の例を示しており、図５（ａ）はコネクタ１０１をラジアルテーピングした正面図、図５（ｂ）は抵抗１１１をラジアルテーピングした斜視図、図５（ｃ）はコンデンサ１２１をラジアルテーピングした斜視図である。図５において各部品（素子）１０１，１１１，１２１の端子足１０２，１１２，１２２は台紙テープ１０３，１１３，１２３に、粘着テープ１０４，１１４，１２４により挟持されて取り付けられる。図５（ａ）のコネクタ、図５（ｃ）のコンデンサにおいては取り付けのための端子足の一部のみが長くされており、この長い方の端子足の先端部が挟持されてラジアルテーピングされる。
【０００３】
従来これらの端子足は、図６に示すような形状に形成されている。図６（ａ）は端子足周辺の配置構造を含めて一例を示し、図６（ｂ）はこの端子足先端部の拡大図、図６（ｃ）は他の端子足の例を示し、一つのリブ１０２ａを有しているもので、図６（ｄ）は、この端子足先端部の拡大図である。図６において端子本体部１０５は例えばコネクタ１０１のハウジング１０６に圧入されており、位置決めと抜け止めのための複数の矢尻部１０５ａを有している。端子足１０２と関連して基板１０８を図示する。
【０００４】
端子足１０２は、自動機で実装されるとき長い端子足の先端をカットしてラジアルテープ１０３から分離され、基板１０８の穴に挿入されて図７，図８に示すように曲げられる。このカット、曲げの工程をクリンチという。
【０００５】
図７（ａ）は、上記の図６（ａ）の形状の端子足１０２を基板１０８に挿入し曲げた状態を示す断面図、（ｂ）はその説明用斜視図である。
【０００６】
また、図８（ａ）は、上記図６（ｃ）の形状の端子足１０２を基板１０８に挿入し曲げた状態を示す断面図、（ｂ）はその説明用斜視図である。
【０００７】
【発明が解決しようとする課題】
図７、図８から分かるように、従来のラジアルテーピング部品では、実装時に行われるクリンチによる曲げ位置は定まらず、部品の基板への取り付けはガタツキを生じる。また、端子足が基板の穴の端に偏りがちである、という問題があった。
【０００８】
そこで、本発明の目的は、このような基板への取り付け時のガタツキが少なく、端子足が基板の穴の端に偏らない端子足を有するラジアルテーピング部品を提供することにある。
【０００９】
【課題を解決するための手段】
上記の目的を達成するため、本発明は、先端近くに、第一リブ部と第二リブ部とを設けてその両リブ部間を曲げ部として形成した端子足を有するものとした。これによって、実装時におけるクリンチによる曲げ位置は曲げ部となって定まり、また、第二リブ部が基板の穴の中央付近に端子足を安定させる。
【００１０】
【発明の実施の形態】
以下、本発明の実施の形態を図示例と共に説明する。
【００１１】
図１は、本発明によるラジアルテーピング部品の一実施形態を示しており、ここでのラジアルテーピング部品はコネクタ１である。
【００１２】
図２は、図１を右方向から見た側面図を示している。コネクタ１からは、そのハウジング６に圧入された端子の端子足２が伸びている。ここではそれぞれのコネクタ１に５本の端子足２が設けられている。このうちの２本の端子足２ａは長く伸び、その伸びた先端は、台紙テープ３と粘着テープ４とに挟持されて、コネクタ１は、台紙テープ３と（及び粘着テープ４）の長手方向に沿って並べられる。ここでのラジアルテーピング用テープは、台紙テープ３と粘着テープ４とからなっている。
【００１３】
図３は、図１、図２における端子１０の端子足２付近の形状を示している。端子足２及び２ａは、基本的に平板状に形成されている。なお、図３では、図１、図２の２本の長く伸びた端子足２ａもカットされて他の端子足２と同形状とされた場合を想定している。図３（ａ）はハウジング６に圧入されている端子１０がその先端に伸びた端子足２を基板８の穴に挿入する状態を示す。図３（ｂ）は、端子足２の形状を示す拡大平面図であり、端子足２はその先端近くに幅広に形成された第一リブ部２ｂと第二リブ部２ｃと両リブ部２ｂ，２ｃ間に幅の狭い曲げ部２ｄを設けている。幅一定の伸長部２ｅが端子２の本体とつながれている。
【００１４】
上記のような形状の端子足２，２ａを有するラジアルテーピング部品であるコネクタは、自動機で基板８上に実装される。
【００１５】
まず、長く伸びて台紙テープ４上に挟持された端子足２ａは、実装時にカットされ、図３に示した端子足２の形状にそろえられる。その後、各端子足２及び２ａは、基板８の穴に挿入され、その先端がクリンチされ、基板８の面に沿って曲げられる。
【００１６】
図４は、この端子足２，２ａの曲げ状態を示しており、図４（ａ）は基板８を断面とした側面図、図４（ｂ）は基板８について穴のみを表示した説明用の斜視図である。幅広の第一リブ部２ｂ及び第二リブ部２ｃは、他部分よりより強い曲げ対抗度があるため細くなった曲げ部２ｄが曲げられることになる。このため、曲げ位置が定まる。また、基板８の穴の側面に第二リブ部２ｃの側面が当接するため、端子足２は基板８の穴の中央付近に安定保持され、このためコネクタ１の基板８に対する位置は、穴に対して偏りなく安定する。この後フロー半田処理等により、端子足２と基板上の配線端子とが接続される。
【００１７】
ここではラジアルテーピング部品の例としてコネクタを選び実施形態を示したが、抵抗、コンデンサ等、ラジアルテーピングされて供給され、基板上へ実装される部品であれば、本発明を適用できることは明瞭である。
【００１８】
また、ラジアルテーピング部品の取り付け基板は、回路基板でなくとも取り付け穴を有する他の部品または装置の一部であっても本発明を同様に適用できる。
【００１９】
【発明の効果】
以上説明したように、本発明におけるラジアルテーピング部品は、端子足の２つのリブ間に曲げ部を形成したことにより、一定位置で端子足の曲げが行われ、基板とのガタツキを阻止できるとともに、基板に対しても定まった位置に安定して取り付けられる。
【図面の簡単な説明】
【図１】  本発明によるラジアルテーピング部品としてのコネクタをラジアルテーピングした正面図である。
【図２】  図１に示すラジアルテーピングされたコネクタの右側面図である。
【図３】  図１、図２に示すコネクタの一端子足付近の形状を示す平面図で、（ａ）は、ハウジング及び基板との関係を示し、（ｂ）は端子足のみの拡大平面図を示す。
【図４】  図１乃至図３に示すコネクタの端子足の基板への実装状態を示し、（ａ）は側断面図、（ｂ）は斜視図である。
【図５】  従来のラジアルテーピングされたラジアルテーピング部品を示し、（ａ）はコネクタの例、（ｂ）は抵抗の例、（ｃ）はコンデンサの例を示す斜視図である。
【図６】  従来の端子足付近の形状例を示す平面図で、（ａ）はハウジング及び基板との関係を示す一例、（ｂ）は（ａ）の端子足のみの拡大平面図、（ｃ）はハウジング及び基板との関係を示す他の例、（ｄ）は（ｃ）の端子足のみの拡大平面図である。
【図７】  図６の（ａ），（ｂ）に示した端子足の基板への実装状態を示し、（ａ）は側断面図、（ｂ）は斜視図である。
【図８】  図６の（ｃ），（ｄ）に示した端子足の基板への実装状態を示し、（ａ）は側断面図、（ｂ）は斜視図である。
【符号の説明】
１  コネクタ、２  端子足、２ａ  長く伸びた端子足、２ｂ  第一リブ部、２ｃ  第二リブ部、２ｄ  曲げ部、２ｅ  伸長部、３  台紙テープ、４  粘着テープ、６  ハウジング、８  基板、１０  端子。
【図１】
0003656112.tif 000002
【図２】
0003656112.tif 000003
【図３】
0003656112.tif 000004
【図４】
0003656112.tif 000005
【図５】
0003656112.tif 000006
【図６】
0003656112.tif 000007
【図７】
0003656112.tif 000008
【図８】
0003656112.tif 000009